(57)【要約】【課題】ＬＥＤ素子の点灯の広視野化の向上を図ると共に、表示面の正面方向への不要電磁波の漏洩を低減したＬＥＤ表示装置を得る。【解決手段】ＬＥＤ表示装置１は、片側表面４ａに複数のＬＥＤ素子２を実装したプリント基板４を、片側表面４ａが金属ケース５の有する開口部に向くように収容してなる。プリント基板４の片側表面４ａ上に、ＬＥＤ素子２のワイヤ３の隙間を絶縁性樹脂で充填してワイヤ３を覆う高さの絶縁性樹脂層７を形成して金属ケース５とワイヤ３とを電気的に絶縁した。さらに絶縁性樹脂層７の表面上に、ＬＥＤ素子２同士の隙間を透明な導電性樹脂で充填してＬＥＤ素子２全体を覆う高さの導電性樹脂層８を形成してＬＥＤ素子２からの電磁波漏洩を防止した。【選択図】図１
2009253098.tif 000002
【特許請求の範囲】
【請求項１】
複数のＬＥＤ素子を実装した基板と、
開口部を有し、前記ＬＥＤ素子の実装面が前記開口部に向くように前記基板を収容する金属筐体と、
前記金属筐体に収容された前記基板のＬＥＤ素子の実装面上に充填した絶縁性樹脂からなり、前記基板に接続された前記ＬＥＤ素子の電極端子を被覆する絶縁性樹脂層と、
前記絶縁性樹脂層上に充填した導電性樹脂からなり、前記絶縁性樹脂層から露出した前記ＬＥＤ素子を被覆する導電性樹脂層とを備えたＬＥＤ表示装置。
【請求項２】
導電性樹脂層は、透明な導電性樹脂からなり、絶縁性樹脂層から露出したＬＥＤ素子の全体を被覆することを特徴とする請求項１記載のＬＥＤ表示装置。
【請求項３】
導電性樹脂層は、不透明な導電性樹脂からなり、絶縁性樹脂層から露出したＬＥＤ素子の側面までを被覆することを特徴とする請求項１記載のＬＥＤ表示装置。
【請求項４】
導電性樹脂層は、黒色に着色した樹脂であることを特徴とする請求項３記載のＬＥＤ表示装置。
【請求項５】
基板に設けたグランド層と導電性樹脂層とを電気的に接続する金属導体を設けたことを特徴とする請求項１から請求項４のうちのいずれか１項記載のＬＥＤ表示装置。
【請求項６】
基板のＬＥＤ素子の実装面と絶縁性樹脂層との間に防水部材を設けたことを特徴とする請求項１から請求項５のうちのいずれか１項記載のＬＥＤ表示装置。
【発明の詳細な説明】
【技術分野】
【０００１】
この発明は、ＬＥＤ表示装置において、特にＬＥＤ素子の電磁波漏洩防止構造に関するものである。
【背景技術】
【０００２】
主に屋外に設置するための大型ディスプレイとして、複数のＬＥＤ素子を選択的に点灯制御することによって画面表示を行うＬＥＤ表示装置がある。図６は、特許文献１で開示されているＬＥＤ表示装置の構成を示す正面図（ａ）および断面図（ｂ）である。図６に示すＬＥＤ表示装置９０は、複数のＬＥＤ素子９１をプリント基板９２に実装し、そのプリント基板９２を金属筐体９３に収容してなる。各ＬＥＤ素子９１の側面を囲い、かつ各ＬＥＤ素子９１より前方へ突き出た遮光板９４を設けることにより、斜め方向からＬＥＤ素子９１への太陽光の直射を防ぎ、表示内容を見やすくする構成であった。また、遮光板９４を導電性の金属で形成することにより、ＬＥＤ素子９１から漏洩する不要電磁波を抑制する構成であった。
【０００３】
【特許文献１】特開平１１−３８９０５号公報
【発明の開示】
【発明が解決しようとする課題】
【０００４】
従来のＬＥＤ表示装置は以上のように構成されているので、ＬＥＤ表示装置の視野範囲と電磁波シールド効果とがトレードオフの関係にあり、遮光板を短くするか設置しないかするとＬＥＤ素子の点灯の視野範囲は広がるが、電磁波シールド効果が劣化して不要電磁波の漏洩量が多くなってしまう。そのため、ＬＥＤ素子の点灯に広い視野範囲が要求される場合、遮光板を短くするか設置しないかすることにより、ＬＥＤ素子からの不要電磁波の漏洩量が多くなるという課題があった。
【０００５】
この発明は、上記のような課題を解決するためになされたもので、ＬＥＤ素子の点灯の広視野化の向上を図ると共に、表示面の正面方向への不要電磁波の漏洩を低減することを目的とする。
【課題を解決するための手段】
【０００６】
この発明に係るＬＥＤ表示装置は、複数のＬＥＤ素子を実装した基板と、開口部を有し、ＬＥＤ素子の実装面が開口部に向くように基板を収容する金属筐体と、金属筐体に収容された基板のＬＥＤ素子の実装面上に充填した絶縁性樹脂からなり、基板に接続されたＬＥＤ素子の電極端子を被覆する絶縁性樹脂層と、絶縁性樹脂層上に充填した導電性樹脂からなり、絶縁性樹脂層から露出したＬＥＤ素子を被覆する導電性樹脂層とを備えるようにしたものである。
【発明の効果】
【０００７】
この発明によれば、複数のＬＥＤ素子を実装した基板を、開口部を有する金属筐体に、ＬＥＤ素子の実装面が開口部に向くように収容し、金属筐体に収容された基板のＬＥＤ素子の実装面上に絶縁性樹脂を充填して、基板に接続されたＬＥＤ素子の電極端子を被覆すると共に、絶縁性樹脂層上に導電性樹脂を充填して、絶縁性樹脂層から露出したＬＥＤ素子を被覆するようにしたので、ＬＥＤ素子の点灯の広視野化および電磁波の漏洩防止が可能となる。
【発明を実施するための最良の形態】
【０００８】
実施の形態１．
図１は、この発明の実施の形態１に係るＬＥＤ表示装置の構成を示す正面図（ａ）および断面図（ｂ）である。図１（ｂ）は、図１（ａ）のＡ−Ａ’線に沿った断面図である。図１に示すＬＥＤ表示装置１は、電極端子である２本のワイヤ３を有するＬＥＤ素子２を、縦横に複数個実装したプリント基板４を金属筐体５に収容してなる。
【０００９】
金属筐体５は開口部を有し、プリント基板４はＬＥＤ素子２が実装された片側表面４ａがこの開口部を向くように金属筐体５に収容されている。プリント基板４とＬＥＤ素子２は金属筐体５の側壁に囲われている。金属筐体５の開口部に面した複数のＬＥＤ素子２が表示画面を構成する。
金属筐体５の背面には、各ＬＥＤ素子２を実装したプリント基板４の配線パターンと電気的に接続された入出力端子６が設けられている。ＬＥＤ表示装置１は、入出力端子６から入力される信号に従って各ＬＥＤ素子２の点灯を制御することにより、任意の画面表示を行う。
【００１０】
プリント基板４の片側表面４ａ上には、片側表面４ａからＬＥＤ素子２のワイヤ３を完全に覆う高さまで絶縁性樹脂を充填して、絶縁性樹脂層７が形成されている。この絶縁性樹脂層７がワイヤ３同士の隙間および金属筐体５とワイヤ３との隙間を埋めることにより、金属筐体５とワイヤ３とが電気的に絶縁される。
【００１１】
また、絶縁性樹脂層７の表面には、表面からＬＥＤ素子２を完全に覆う高さまで透明な導電性樹脂を充填して、導電性樹脂層８が形成されている。
図２は、ＬＥＤ素子から漏洩する電磁波を示す説明図である。図２において図１と同一または相当の部分については同一の符号を付し説明を省略する。図２に示すＬＥＤ素子２の正面方向と斜め方向に電磁波が放射される。
【００１２】
従来は、図２に示す電磁波漏洩を効果的に低減するために、図６に示す導電性の遮光板９４をＬＥＤ素子周辺に設置する必要があった。ＬＥＤ素子の側面を取り囲む導電性の遮光板９４は、斜め方向の電磁波漏洩を防止することはできるが、正面方向の電磁波漏洩を防止することができなかった。
これに対して、本実施の形態では、導電性樹脂層８がＬＥＤ素子２の側面だけでなく、頭頂部まで覆う構成であるため、ＬＥＤ素子２の正面方向および斜め方向への電磁波の漏洩を防止することができる。また、ＬＥＤ素子２を覆う導電性樹脂は透明であるため、ＬＥＤ素子２の点灯の視野範囲を狭めることがない。
【００１３】
さらに、図１に示すように絶縁性樹脂層７または導電性樹脂層８を金属筐体５の内側壁面に密着するように形成して、絶縁性樹脂層７または導電性樹脂層８と金属筐体５との隙間を埋めることにより、防水効果を得ることができる。
【００１４】
以上のように、実施の形態１によれば、片側表面４ａに複数のＬＥＤ素子２を実装したプリント基板４を、片側表面４ａが金属筐体５の有する開口部に向くように金属筐体５に収容してなるＬＥＤ表示装置１において、プリント基板４の片側表面４ａ上に、ＬＥＤ素子２のワイヤ３の隙間を絶縁性樹脂で充填してワイヤ３を覆う高さの絶縁性樹脂層７を形成し、絶縁性樹脂層７の表面上に、ＬＥＤ素子２同士の隙間を透明な導電性樹脂で充填してＬＥＤ素子２全体を覆う高さの導電性樹脂層８を形成した。そのため、ＬＥＤ素子の点灯の広視野化および電磁波の漏洩防止が可能となる。
【００１５】
実施の形態２．
図３は、この発明の実施の形態２に係るＬＥＤ表示装置の構成を示す正面図（ａ）および断面図（ｂ）である。図３（ｂ）は、図３（ａ）のＢ−Ｂ’線に沿った断面図である。図３に示すＬＥＤ表示装置２０は、上記実施の形態１のＬＥＤ表示装置１の導電性樹脂層８にかえて、絶縁性樹脂層７の表面からＬＥＤ素子２の側面を覆う高さまで、導電性樹脂を充填した導電性樹脂層２１が形成されている。この導電性樹脂層２１には、不透明または黒色に着色した導電性樹脂を用いる。図３において図１と同一または相当の部分については同一の符号を付し説明を省略する。
【００１６】
絶縁性樹脂層７の表面上に、図３（ａ）に示すようにＬＥＤ素子２の頭頂部を残して、ＬＥＤ素子２が完全には隠れない程度の高さに不透明または黒色の導電性樹脂層２１を形成することで、ＬＥＤ素子２の点灯と導電性樹脂層２１の色が対比となり、表示画像のコントラスト向上が実現できる。また、ＬＥＤ素子２の側面を導電性樹脂層２が覆うことにより、電磁波の漏洩を低減できる。
【００１７】
以上のように、実施の形態２によれば、導電性樹脂層２１は、不透明または黒色に着色した導電性樹脂を用いて、絶縁性樹脂層７の表面からＬＥＤ素子２の側面を覆う高さに形成した。そのため、表示画像のコントラストを向上させることが可能となる。
【００１８】
実施の形態３．
図４は、この発明の実施の形態３に係るＬＥＤ表示装置の構成を示す正面図（ａ）および断面図（ｂ）である。図４（ｂ）は、図４（ａ）のＣ−Ｃ’線に沿った断面図である。図４に示すＬＥＤ表示装置３０は、上記実施の形態１のＬＥＤ表示装置１において、プリント基板４のグランド層（図示省略）と絶縁性樹脂層８とを接続する金属導体３１を設けた構成である。導電性樹脂層８は金属導体３１によってプリント基板４のグランド層と電気的に接続されている。さらに、プリント基板４のグランド層が入出力端子６のアースに接続されている。図４において図１と同一または相当の部分については同一の符号を付し説明を省略する。
【００１９】
以上のように、実施の形態３によれば、プリント基板４のグランド層と導電性樹脂層８とを電気的に接続する金属導体３１を設けた。そのため、導電性樹脂のグランド強化が実現でき、電磁波の漏洩防止能力を向上させることが可能となる。
【００２０】
なお、上述した説明では、上記実施の形態１で示した構成に対して上記実施の形態２または上記実施の形態３をそれぞれ適用する場合を示したが、これに限らず、上記実施の形態２および上記実施の形態３の構成を適宜組み合わせたものであっても構わない。
【００２１】
また、上記実施の形態１−３では、防水効果を得るために絶縁性樹脂層または導電性樹脂層を金属筐体の内側壁面に密着するように構成したが、この構成に加えて、基板のＬＥＤ素子実装面と絶縁性樹脂層との間に防水部材を用いる構成であってもよい。
図５は、この発明の実施の形態１に係るＬＥＤ表示装置に防水パッキンを設けた構成を示す断面図である。図５において図１と同一または相当の部分については同一の符号を付し説明を省略する。図５に示すＬＥＤ表示装置１０は、プリント基板４のＬＥＤ素子２を実装した片側表面と絶縁性樹脂層７の間に防水パッキン９を設けた構成である。実施の形態２および３のＬＥＤ表示装置も同様に防水パッキンを設ける構成としてもよい。これにより防水効果が得られる。
【図面の簡単な説明】
【００２２】
【図１】この発明の実施の形態１に係るＬＥＤ表示装置の構成を示す正面図および断面図である。
【図２】ＬＥＤ素子から漏洩する電磁波を示す説明図である。
【図３】この発明の実施の形態２に係るＬＥＤ表示装置の構成を示す正面図および断面図である。
【図４】この発明の実施の形態３に係るＬＥＤ表示装置の構成を示す正面図および断面図である。
【図５】この発明の実施の形態１に係るＬＥＤ表示装置に防水パッキンを設けた構成を示す断面図である。
【図６】従来のＬＥＤ表示装置の構成を示す正面図および断面図である。
【符号の説明】
【００２３】
１，１０，２０，３０  ＬＥＤ表示装置、２  ＬＥＤ素子、３  ワイヤ、４  プリント基板、４ａ  片側表面、５  金属筐体、６  入出力端子、７  絶縁性樹脂層、８，２１  導電性樹脂層、９  防水パッキン、３１  金属導体、９０  従来のＬＥＤ表示装置、９１  ＬＥＤ素子、９２  プリント基板、９３  金属筐体、９４  遮光板。
【図１】
2009253098.tif 000003
【図２】
2009253098.tif 000004
【図３】
2009253098.tif 000005
【図４】
2009253098.tif 000006
【図５】
2009253098.tif 000007
【図６】
2009253098.tif 000008